(57)【特許請求の範囲】
【請求項１】
注射器内部に充填された治療薬を患者自らが注射する自己注射を補助する自己注射補助具であって、前記注射器が、外筒と、該外筒内を軸方向に移動可能な内筒と、前記外筒の一端に取り付けられたつばもとと、前記外筒の他端から延在する小径部に接続される注射針と、該注射針を覆い小径部に嵌合される針キャップとを備え、
前記自己注射補助具が、
前記注射器を固定する本体と、
該本体に対して開閉自在である透明なカバーとを備え、該カバーは、注射器が正しい位置で本体に固定されている場合に、本体に対して閉鎖およびロックされることができ、
前記自己注射補助具がさらに、
前記注射器の針キャップを抜去するための針キャップ抜去機構部と、
前記本体に対するカバーの閉鎖動作に応じて、針キャップ抜去機構部を動作させる動作機構部とを備えることを特徴とする自己注射補助具。
【請求項２】
前記動作機構部がカムを備えることを特徴とする、請求項１に記載の自己注射補助具。
【請求項３】
前記カバーが、本体に対して回動自在に設けられることを特徴とする、請求項１または２に記載の自己注射補助具。
【請求項４】
前記注射器のつばもとがくぼみを有し、前記本体が突出部を有し、該突出部が、注射器のつばもとのくぼみに挿入されて、注射器を本体に固定することを特徴とする、請求項１から３のいずれか一項に記載の自己注射補助具。
【請求項５】
請求項１から４のいずれか一項に記載の自己注射補助具と、治療薬で充填された注射器とからなることを特徴とする自己注射システム。
【請求項６】
前記治療薬が、リウマチの治療薬であることを特徴とする請求項５に記載の自己注射システム。
【発明の詳細な説明】
【技術分野】
【０００１】
本発明は、患者自らが注射する自己注射を補助するために用いられる自己注射補助具、およびそのような自己注射補助具と治療薬で充填された注射器とからなる自己注射システムに関する。
【背景技術】
【０００２】
注射は、一般的に医師や看護師などの医療従事者である専門家によって行われることが多いが、例えば糖尿病やリウマチなどの慢性患者の場合、患者自らが、自宅などの病院以外の場所で治療薬を自己注射することもあった。例えば、進行したリウマチ患者の場合、痛みを和らげてリウマチの進行を抑えるために、自宅などで定期的に治療薬（アダリムマブまたはエタネルセプト）を自己注射する治療法が実施されている。
【０００３】
このような自己注射に用いられる注射器は、一般的に、外筒と、外筒内部を軸方向に移動可能な内筒と、外筒の一端に取り付けられたつばもとと、外筒の他端に設けられた注射針と、注射針を覆う針キャップとを備える。
【０００４】
自己注射に用いられる注射器は、治療薬で充填されている状態で包装されている。自己注射を実施する手順は、以下の通りである。すなわち、まず包装から注射器を取り出し、針キャップを注射器から取り外し、治療薬に含まれる気泡を取り除いた後、治療薬を注射するというものであった。
【０００５】
このような自己注射を患者が行うには、抵抗感が強かった。その理由は、医師や看護師などの医療従事者である専門家に注射を実施してもらいたいとの依存心が強く、また患者自らが注射針を刺すことに対する恐怖感があり、さらに注射そのものに対する恐怖感があったからである。
【０００６】
自己注射に対するこのような患者の強い抵抗感の問題に加えて、例えば進行したリウマチ患者が自己注射を行う場合、痛みまたは腫れや変形のために手指に力が入らず、物を握る動作、および指先で小さな物を摘む動作が困難であるという状況があった。そのため、リウマチ患者が自己注射する場合に、注射器を握る動作および注射器の針キャップを取り外す動作を行うことが出来ないという問題があった。
【０００７】
針キャップの取り外しを容易にする自己注射補助具として、例えば、実用新案登録第３１４３３０２号に開示される考案が知られている。この考案の自己注射補助具は、装置本体と、装置本体に対して開閉可能であり、装置本体に対して注射器セット位置と注射可能位置との間を軸方向にスライド移動可能な本体カバーとを備える。この自己注射補助具を使用する場合に、患者は、本体カバーを開いて装置本体の所定位置に注射器を装着する動作と、本体カバーを閉じる動作と、本体カバーを注射器セット位置から注射可能位置へとスライド移動して針キャップを注射器から取り外す動作と、注射器内に充填される治療薬に含まれる気泡を取り除く動作と、注射を行う動作とを行う。
【先行技術文献】
【特許文献】
【０００８】
【特許文献１】実用新案登録第３１４３３０２号公報
【発明の概要】
【発明が解決しようとする課題】
【０００９】
上記考案では、注射器を装着する動作と、本体カバーを閉じる動作と、本体カバーをスライド移動する動作との３つの動作が必要であり、進行したリウマチ患者が行うには困難で面倒なものであった。さらに、本体カバーが確実に閉じられていない状態でも、本体カバーをスライド移動させることが可能であるため、自己注射の途中で本体カバーが開いて、注射器が装置本体から落下する問題があった。さらに、本体カバーが不透明であるため、本体カバーが閉じられていると、装置本体に装着された注射器を確認することができない問題もあった。
【００１０】
そこで、本発明は、針キャップを注射器から抜去するための動作が簡単であり、自己注射の途中でカバーが開いて注射器が落下することがなく、自己注射に対する患者の抵抗感を和らげ、カバーが閉じられた状態で注射器を確認することができる自己注射補助具を提供することを目的とする。
【課題を解決するための手段】
【００１１】
上記目的を達成するために、本発明は、注射器内部に充填された治療薬を患者自らが注射する自己注射を補助する自己注射補助具であって、注射器が、外筒と、外筒内を軸方向に移動可能な内筒と、外筒の一端に取り付けられたつばもとと、外筒の他端から延在する小径部に接続される注射針と、注射針を覆い小径部に嵌合される針キャップとを備え、自己注射補助具が、注射器を固定する本体と、本体に対して開閉自在である透明なカバーとを備え、カバーは、注射器が正しい位置で本体に固定されている場合に、本体に対して閉鎖およびロックされることができ、自己注射補助具がさらに、注射器の針キャップを抜去するための針キャップ抜去機構部と、本体に対するカバーの閉鎖動作に応じて、針キャップ抜去機構部を動作させる動作機構部とを備えることを特徴とする。
【００１２】
さらに、本発明は、動作機構部がカムを備えること、カバーが、本体に対して回動自在に設けられること、また注射器のつばもとがくぼみを有し、本体が突出部を有し、突出部が、注射器のつばもとのくぼみに挿入されて、注射器を本体に固定することを特徴とする。また本発明の自己注射システムは、上述された自己注射補助具と、治療薬で充填された注射器とからなり、また治療薬がリウマチの治療薬であることを特徴とする。
【発明の効果】
【００１３】
本発明の自己注射補助具によれば、動作機構部が、本体に対するカバーの閉鎖動作に応じて針キャップ抜去機構部を動作させるため、注射器の針キャップの抜去には、本体の正しい位置に注射器を固定する動作、および本体に対してカバーを閉鎖する動作だけが必要であり、従来技術に比べて簡単な動作で実施することができるという効果を有する。
【００１４】
さらに、本発明の自己注射補助具によれば、注射器が正しい位置で本体に固定されていない場合には、カバーを閉鎖することはできず、したがって針キャップが抜去されることはなく、安全に自己注射を行うことができるという効果を有する。また、注射器が正しい位置で本体に固定されている場合には、カバーが、本体に対して閉鎖およびロックされ、自己注射の途中でカバーが開いて注射器が落下することがなく、安全かつ確実に自己注射を行うことができるという効果を有する。
【００１５】
また、本発明によれば、動作機構部がカムを備え、またはカバーが、本体に対して回動自在に設けられ、または注射器のつばもとがくぼみを有し、本体が突出部を有し、突出部が、注射器のつばもとのくぼみに挿入されて注射器を本体に固定することを特徴とし、簡単な構造で、安価に信頼性のある自己注射補助具を提供することができるという効果を有する。
【００１６】
加えて、本発明による自己注射システムは、上述された自己注射補助具と、治療薬で充填された注射器とからなり、従来技術に比べて簡単な動作で自己注射することができ、また治療薬がリウマチの治療薬であり、進行したリウマチ患者であっても容易に自己注射することができるという効果を有する。
【００１７】
また、本発明の自己注射補助具から外部に突出する注射針の長さは、注射針自身の長さより短く、注射に対する患者の抵抗感を和らげることができ、また、カバーが透明であるため、自己注射補助具に固定された注射器をカバーを閉鎖した状態で確認して、自己注射の動作上の誤りを事前に見つけることができ、また、自己注射補助具の形状を自己注射する患者が握り易い形状として、進行したリウマチ患者であっても容易に自己注射することができ、また、患者と接触する表面積が大きく、注射される箇所に密着して安定して自己注射を行うことができるという効果を有する。
【図面の簡単な説明】
【００１８】
【図１】本発明の自己注射補助具の斜視図である。
【図２】注射器の斜視図である。
【図３】本発明の自己注射補助具の分解斜視図である。
【図４】下方向から見たときの、本体および針キャップ抜去機構部の斜視図である。
【図５】本体に対するカバーの閉鎖動作に応じて、針キャップ抜去機構部を前方向に移動させる動作機構部の動作を説明する図である。
【図６】カバーが本体に対して開かれている自己注射補助具を示す斜視図である。
【図７】カバーが開かれている自己注射補助具と、注射器とを示す斜視図である。
【図８】注射器が正しい位置で本体に固定され、カバーが開かれている自己注射補助具を示す斜視図である。
【図９】カバーを本体に対して回動して、カバーの弾性部が、本体の底部の開口部に挿入される前の状態を示す斜視図である。
【図１０】カバーを本体に対する閉鎖位置に回動して、カバーの弾性部が、本体の底部の開口部に挿入された状態を示す斜視図である。
【図１１】本発明の自己注射器補助具を用いて、注射針で患者の所定箇所を刺した状態を示す斜視図である。
【図１２】注射器の内筒を押し込んで治療薬を注射した状態を示す斜視図である。
【発明を実施するための形態】
【００１９】
以下、本発明を実施形態に基づいて図面を参照しながら説明する。
【００２０】
図１は、本発明の自己注射補助具１を示す斜視図であり、注射器１００が、自己注射補助具１の本体１０に固定されかつ針キャップが抜去されている状態が示されている。ただし、図１には、動作機構部の一部であるバネが示されていない。患者は、自己注射補助具１を握って、注射針１０５を患者の所定位置に刺して自己注射する。
【００２１】
以下の説明では、注射針１０５が取り付けられる注射器１００の端部の方向を前方向とし、反対側の方向を後方向とし、同様に、注射針１０５が突出する自己注射補助具１の端部の方向を前方向とし、反対側の方向を後方向とする。
【００２２】
図２は、本発明の自己注射補助具１で使用する注射器１００の斜視図である。注射器１００は、例えばリウマチの治療薬であるアダリムマブが予め充填されたプレフィルドシリンジであり、治療薬で充填された外筒１０１と、外筒１０１内を軸方向に移動可能な内筒１０２と、外筒１０１の前端から延在する小径部１０４に接続され外筒１０１内部と流体連絡する内部通路を有する注射針１０５と、注射針１０５を覆いかつ外筒１０１の前端との間に間隙１０６を有して小径部１０４に嵌合される針キャップ１０７とを備え、外筒１０１の後端にはつばもと１０３が取り付けられている。
【００２３】
なお、注射器１００の概略の外形寸法は、内筒１０２が外筒１０１から引き出されている図２に示される状態で、全長約１２ｃｍであり、内筒１０２を外筒１０１に完全に押し込んだ状態で、全長約９ｃｍである。つばもと１０３は、幅が約４．５ｃｍで高さが約２．０ｃｍであり、図示されていないくぼみが、その底面から内部に形成されている。針キャップ１０７の長さは、約２．７ｃｍであり、外筒１０１の長さは、約５．４ｃｍであり、小径部１０４の長さは、約１．０ｃｍであり、注射針１０５の長さは、約１．３ｃｍであり、間隙１０６は、約０．１ｃｍである。外筒１０１の外径は、約０．８ｃｍである。注射器１００は、プラスチック材料など適切な材料で形成される。
【００２４】
図３は、本発明の自己注射補助具１の分解斜視図である。ただし、図３に示される自己注射補助具１の向きは、図１に示される自己注射補助具１の向きとは反対になっている。自己注射補助具１は、注射器１００を固定する本体１０と、本体１０に対して開閉自在である透明なカバー３０と、本体１０に固定された注射器１００の針キャップ１０７を抜去するための針キャップ抜去機構部５０と、本体１０に対するカバー３０の閉鎖動作に応じて、針キャップ抜去機構部５０を動作させる動作機構部７０とを備える。図３には、動作機構部７０の一部であるバネ７３も示されている。
【００２５】
図４は、下方向から見たときの、本体１０および針キャップ抜去機構部５０の斜視図である。
【００２６】
本体１０は、底部１１と、後部１２と、針キャップ抜去機構部５０および動作機構部７０を収容する空洞を内側に画定する側部１３および前部１４と、注射器１００のつばもと１０３に形成されたくぼみ内に挿入される突出部１５とを備える。後部１２は、注射器１００の内筒１０２を本体１０から突出させる刳り抜き部１６を有する。同様に、前部１４は、注射器１００の針キャップ１０７を本体１０から突出させる刳り抜き部１９を有する。側部１３は、動作機構部７０のカム７１の突起部７２を受け、カム７１を回転自在に支持する開口部１７と、カバー３０の円柱状の突出部３１を受け、カバー３０を回動自在に支持する開口部１８と、カバー３０の弾性部３２が挿入される開口部２０とを有する。さらに、側部１３は、針キャップ抜去機構部５０の本体１０に対する上方向の移動を制限する上方向移動制限部材２１を有する。さらに、図４に示されるように、底部１１は、針キャップ抜去機構部５０の本体１０に対する上下方向の移動を制限しかつ針キャップ抜去機構部５０の本体１０に対する前後方向の移動を案内するための案内部材２２と、針キャップ抜去機構部５０の本体１０に対する後方向の移動を制限する後方向移動制限部材２３とを有する。本体１０は、前後方向の長さが約８ｃｍであり、幅が約４．５ｃｍであり、高さが約２ｃｍである。
【００２７】
なお、自己注射をする患者と接触する部分である本体１０の前面１４に、患者との接触面積を増大させる板状部材を取り付けて、注射される箇所により密着して安定した自己注射を行うことができる。
【００２８】
透明なカバー３０は、本体１０の側部１３の開口部１８に嵌め込まれる円柱状の突出部３１と、カバー３０が本体１０に対して閉鎖位置にあるときに、針キャップ抜去機構部５０の収容部５３に受けられる注射器１００の外筒１０１に接触して固定するための突起部３３ならびに３４、および本体１０の側部１３に設けられる開口部２０に挿入される弾性部３２とを備える。円柱状の突出部３１が、開口部１８に嵌め込まれると、カバー３０は、本体１０に対して回動可能に支持される。また、カバー３０の弾性部３２が本体１０の開口部２０に挿入されると、カバー３０が、本体１０に対してロックされ、注射の途中で、カバー３０が本体１０から開くことはない。弾性部３２の上方部分３５を両側から押して弾性部３２を内側に変形させて、弾性部３２を開口部２０から出すことによって、カバー３０を開くことができる。
【００２９】
カバー３０の外形寸法は、長さが約６．５ｃｍであり、幅が約４．７ｃｍであり、高さが約２ｃｍである。また、カバー３０が透明であるため、自己注射補助具１に固定された注射器１００を、カバー３０を閉鎖した状態で確認することができ、自己注射の動作上の誤りを事前に見つけることができる。
【００３０】
針キャップ抜去機構部５０は、本体１０の空洞に収容され、本体１０に対して前後方向に滑動可能に支持される。針キャップ抜去機構部５０は、注射器１００の外筒１０１の前端と針キャップ１０７との間の間隙１０６に嵌り込む爪部５１と、動作機構部７０のカム７１によって押圧される押圧面５２と、注射器１００の外筒１０１を受ける収容部５３と、首部５５を有する突出部５４とを有する。本体１０の底部１１に設けられた案内部材２２が、首部５５に係合し、針キャップ抜去機構部５０の本体１０に対する上下方向の移動を制限しかつ針キャップ抜去機構部５０の前後方向の移動を案内する。また、針キャップ抜去機構部５０の突出部５５が、本体１０の底部１１の後方向移動制限部材２３に当接することによって、針キャップ抜去機構部５０の本体１０に対する後方向の移動が制限される。針キャップ抜去機構部５０は、本体１０の前部１４と、針キャップ抜去機構部５０の爪部５１が設けられる前面５６との間に設けられるバネ７３によって、本体１０に対して後方向に付勢される。
【００３１】
動作機構部７０は、カム７１とバネ７３とを備える。カム７１は、本体１０の側部１３に設けられた開口部１７に挿入される突起部７２を有し、本体１０に対して回転可能に支持される。
【００３２】
図５は、本体１０に対するカバー３０の閉鎖動作に応じて、針キャップ抜去機構部５０を前方向に移動させる動作機構部７０の動作を説明する図である。図５の上側に示されるように、カバー３０が本体１０に対して開かれている状態では、カム７１は、本体１０から上方向に突出するように配置されている。図５の下側に示されるように、本体１０に対するカバー３０の閉鎖動作に応じて、カバー３０がカム７１を押し下げて回転させて、カム７１が針キャップ抜去機構部５０の押圧面５２を押圧し、その結果、バネ７３による付勢力に打ち勝って、針キャップ抜去機構部５０を前方へ移動させる。針キャップ抜去機構部５０の爪部５１は、間隙１０６に嵌り込んでいるため、針キャップ抜去機構部５０の前方移動によって、爪部５１が前方へ移動して、針キャップ１０７を注射器１００から抜去する。カバー３０が本体１０に対して開かれると、バネ７３が、針キャップ抜去機構部５０を本体１０に対して後方向に付勢して移動させ、カム７１を反対方向に回転させる。
【００３３】
好ましくは、本発明の自己注射補助具１の本体１０、カバー３０、針キャップ抜去機構部５０、および動作機構部７０のカム７１は、プラスチックなどの適切な材料で形成され、バネ７３は、適切な金属などで形成される。
【００３４】
以下、図６〜図１２を参照して、本発明の自己注射補助具１を用いる自己注射方法について説明する。なお、図６〜図１２においてバネ７３は示されていない。
【００３５】
図６は、カバー３０が本体１０に対して開かれている自己注射補助具１を示す斜視図であり、図７は、カバー３０が開かれている自己注射補助具１と、注射器１００とを示す斜視図である。
【００３６】
図８は、注射器１００が正しい位置で本体１０に固定され、カバー３０が開かれている自己注射補助具１を示す斜視図である。注射器１００のつばもと１０３に形成されたくぼみ内に本体１０の突出部１５が挿入され、針キャップ抜去機構部５０の収容部５３に注射器１００の外筒１０１が配置され、注射器１００の針キャップ１０７が本体１０の刳り抜き部１９から突出し、また注射器１００の内筒１０２が本体１０の刳り抜き部１６から突出する。このように注射器１００が配置され、針キャップ抜去機構部５０の爪部５１が、間隙１０６に嵌り込む。
【００３７】
図９は、カバー３０を本体１０に対して回動して、カバー３０の弾性部３２が、本体１０の開口部２０に挿入される前の状態を示す斜視図である。
【００３８】
図１０は、カバー３０を本体１０に対する閉鎖位置に回動して、カバー３０の弾性部３２が、本体１０の開口部２０に挿入された状態を示す斜視図である。動作機構部７０のカム７１は、カバー３０によって完全に押し下げられて回転し、針キャップ抜去機構部５０の押圧面５２を前方へ押圧して、その結果、針キャップ抜去機構部５０の爪部５１が、前方へ移動して注射器１００の針キャップ１０７を抜去する。その後、患者は、注射器に充填される治療薬から気泡を取り除いて注射の準備をする。
【００３９】
注射器１００の注射針１０５の長さは、約１．３ｃｍの長さを有するが、本体１０に注射器１００を固定し、カバー３０を閉じた状態では、自己注射補助具１から突出する注射針１０５の長さは約０．６〜０．７ｃｍと約半分になる。注射針１０５の長さが、患者の恐怖心につながるため、本発明の自己注射補助具１を用いることによって、患者の注射に対する抵抗感を和らげることができる。また、自己注射補助具１の形状は、図１０に示されるように、患者が握り易い形状であり容易な自己注射を実現するものである。
【００４０】
図１１は、本発明の自己注射器補助具１を用いて、注射針１０５で患者の所定箇所を刺した状態を示す斜視図である。この図１１では、患者の腹が注射針１０５で刺されている。
【００４１】
図１２は、注射器１００の内筒１０２を押し込んで治療薬を注射した状態を示す斜視図である。患者は、一方の手で自己注射器補助具１を保持し、他方の手で注射器１００の内筒１０２を押し込む。
【００４２】
注射の後、自己注射器補助具１を患者から外す。カバー３０を開くと、バネ７３によって、針キャップ抜去機構部５０は、本体１０に対して後方向の位置へ付勢され、本体１０の底部１１の後方向移動制限部材２３に当接するまで後方向に移動する。
【産業上の利用可能性】
【００４３】
本発明の自己注射補助具および自己注射システムは、患者自らが注射する自己注射を補助する技術の分野で好適に利用でき、特に、手指が腫れまたは変形したリウマチ患者が、自己注射する技術の分野で好適に利用できる。
【符号の説明】
【００４４】
１  自己注射補助具
１０  本体
１１  底部
１２  後部
１３  側部
１４  前部
１５、３１、５４  突出部
１６、１９  刳り抜き部
１７、１８、２０  開口部
２１  上方向移動制限部材
２２  案内部材
２３  後方向移動制限部材
３０  カバー
３２  弾性部
３３、３４、７２  突起部
３５  上方部分
５０  針キャップ抜去機構部
５１  爪部
５２  押圧面
５３  収容部
５５  首部
７０  動作機構部
７１  カム
７３  バネ
１００  注射器
１０１  外筒
１０２  内筒
１０３  つばもと
１０４  小径部
１０５  注射針
１０６  間隙
１０７  針キャップ
【図１】
0005395623.tif 000002
【図２】
0005395623.tif 000003
【図３】
0005395623.tif 000004
【図４】
0005395623.tif 000005
【図５】
0005395623.tif 000006
【図６】
0005395623.tif 000007
【図７】
0005395623.tif 000008
【図８】
0005395623.tif 000009
【図９】
0005395623.tif 000010
【図１０】
0005395623.tif 000011
【図１１】
0005395623.tif 000012
【図１２】
0005395623.tif 000013